(57)【要約】  固定架台、ソーラーパネル、蓄電池、ランプ及び使用時に水に浮くように配置される少なくとも１つのフロートを備える集魚照明装置である。前記固定架台および前記蓄電池は、前記少なくとも１つのフロートに取り付けられる。前記ソーラーパネルおよび前記ランプは、前記固定架台に取り付けられる。前記蓄電池は、それぞれ前記ランプと前記ソーラーパネルに接続される。前記ランプは、前記ソーラーパネルの背光面に位置付けられる。前記背光面は、使用時に水面に向かうように配置される。
2019523962.tif 000002
【特許請求の範囲】
【請求項１】
固定架台、ソーラーパネル、蓄電池、ランプ、使用時に水に浮くように配置される少なくとも１つのフロートを備え、
前記固定架台および前記蓄電池は、前記少なくとも１つのフロートに取り付けられ、
前記ソーラーパネルおよび前記ランプは、前記固定架台に取り付けられ、
前記蓄電池は、それぞれ前記ランプと前記ソーラーパネルに接続され、
前記ランプは、前記ソーラーパネルの背光面に位置付けられ、
前記背光面は、使用時に水面に向かうように配置される、
集魚照明装置。
【請求項２】
前記少なくとも１つのフロートを覆うように、前記少なくとも１つのフロートの取り付け面に１対１対応で設けられる少なくとも１つの蓋板を、さらに備える請求項１に記載の集魚照明装置。
【請求項３】
前記固定架台と前記蓄電池は、前記少なくとも１つの蓋板を介して、前記少なくとも１つのフロートに１対１対応で取り付けられる、請求項２に記載の集魚照明装置。
【請求項４】
前記少なくとも１つのフロートは、１つのフロートであり、前記１つのフロートには、貫通する窓が設けられており、
前記ランプは、前記窓の上方に位置付けられ、または、
前記ランプは、前記窓の下方に位置付けられ、かつ、使用時に水中に沈むように配置される、請求項１〜３のいずれか一つに記載の集魚照明装置。
【請求項５】
前記少なくとも１つのフロートは、少なくとも２つのフロートであり、前記少なくとも２つのフロートは、貫通する窓として用いられる空間を画定形成し、前記固定架台は、前記少なくとも２つのフロートに取り付けられており、
前記ランプは、前記窓の上方に位置付けられ、または、
前記ランプは、前記窓の下方に位置付けられ、かつ、使用時に水中に沈むように配置される
請求項１〜３のいずれか一つに記載の集魚照明装置。
【請求項６】
前記少なくとも１つのフロートの各々は、フォーム、ＰＣ筒またはフロート筒である、請求項１〜５のいずれか一つに記載の集魚照明装置。
【請求項７】
前記少なくとも１つのフロートは、少なくとも２つのフロートであり、
前記蓄電池は、前記少なくとも２つのフロートの内の１つのフロートの表面に設けられ、
前記１つのフロートは、前記少なくとも２つのフロートの内の残りの少なくとも１つのフロートの各々より体積が大きい
請求項１〜３、５、６のいずれか一つに記載の集魚照明装置。
【請求項８】
前記固定架台に連結され、かつ、使用時に前記固定架台を水面の上に固定するように配置される位置決め部材を、さらに備える請求項１〜７のいずれか一つに記載の集魚照明装置。
【請求項９】
前記固定架台は、複数の底枠、複数の横梁及び複数の縦棒を有し、前記複数の縦棒は、軸方向が前記少なくとも１つのフロートの取り付け面に直交し、前記少なくとも１つのフロートの取り付け面は、第１の方向に延びる複数の第１のエッジ及び第１の方向と異なる第２の方向に延びる複数の第２のエッジを含み、
前記複数の底枠の各々は、前記複数の第１のエッジの内の相応する第１のエッジを１対１対応で包囲し、前記複数の横梁は、延びる方向が前記第２の方向と同じであり、前記複数の横梁の各々は、前記複数の底枠に固定され、そして前記複数の縦棒の各々は、底端が前記複数の底枠の内の相応する底枠に１対１対応で固定され、前記ソーラーパネルは、前記複数の縦棒の先端に取り付けられ、
前記位置決め部材は、少なくとも１本のロープ、及び前記少なくとも１本のロープの一端に１対１対応で連結される少なくとも１つの引き綱を含み、前記少なくとも１本のロープの他端は、前記複数の底枠の内の対応する底枠に１対１対応で接続される、
請求項８に記載の集魚照明装置。
【請求項１０】
前記固定架台は、ランプホルダ、及び前記複数の縦棒に設けられる上枠をさらに有し、前記ランプホルダは、前記上枠の中に設けられ、前記ランプは前記ランプホルダに固定される請求項９に記載の集魚照明装置。
【請求項１１】
前記複数の縦棒の各々は、第１の固定面及び第２の固定面を有し、前記第１の固定面が、前記第２の方向に直交し、前記第２の固定面が、前記第１の方向に直交し、
前記固定架台は、前記第１の固定面に設けられる横筋交いをさらに有し、前記横筋交いは、上端が前記第１の固定面に連結され、下端が前記複数の底枠の内の１つの底枠に連結され、
前記フロートの取り付け面と、前記横筋交いと、前記複数の縦棒の内の相応する１つの縦棒とは、横方向三角支持構造を構成し、
前記固定架台は、前記第２の固定面に設けられる縦筋交いをさらに有し、前記縦筋交いは、上端が前記第２の固定面に連結され、下端が前記複数の底枠の内の１つの底枠に連結され、前記１つの底枠と、前記縦筋交いと、前記縦棒とは、縦方向三角支持構造を構成する、
請求項９に記載の集魚照明装置。
【請求項１２】
前記複数の縦棒の各々は、複数の縦棒の内の隣接する２つの縦棒を連結するように配置される横棒をさらに有する、請求項１１に記載の集魚照明装置。
【請求項１３】
前記蓄電池は、前記電池ホルダを介して前記少なくとも１つのフロートの内の１つのフロートに取り付けられ、
前記電池ホルダは、前記少なくとも１つのフロートの内の１つのフロートの第１のエッジを包囲する底枠に固定される
請求項８〜１２のいずれか一つに記載の集魚照明装置。
【請求項１４】
前記ソーラーパネルのパネル面は、前記複数のフロートの各々の取り付け面に平行する、または、
前記ソーラーパネルのパネル面は、前記少なくとも１つのフロートの各々の取り付け面となす夾角は、０°超過、且つ９０°未満である、
請求項１〜１３のいずれか一つに記載の集魚照明装置。
【請求項１５】
前記蓄電池は、充電電池及び前記充電電池を制御するコントローラとを含み、前記充電電池は、入力端が前記ソーラーパネルに接続され、出力端が前記ランプに接続され、
前記コントローラは、光線強度が光線強度の閾値より小さい又はそれに等しいと、前記ランプへ充電するように前記充電電池を制御する一方、光線強度が前記光線強度の閾値より大きいと、前記ランプへの充電を停止するように前記充電電池を制御する、ように配置される
請求項１〜１４のいずれか一つに記載の集魚照明装置。
【請求項１６】
前記コントローラは、さらに、給電時間長および/または給電電力を含む、前記充電電池による前記ランプへの給電に関する給電対策を設定するように配置される、請求項１５に記載の集魚照明装置。
【請求項１７】
前記コントローラは、光線強度が光線強度の閾値より小さい又はそれに等しいと、ｔ１時間遅延して前記ランプへ充電するように前記充電電池を制御する一方、光線強度が前記光線強度の閾値より大きいと、ｔ２時間遅延して前記ランプへの充電を停止するように前記充電電池を制御するように配置される、請求項１５または１６に記載の集魚照明装置。
【請求項１８】
前記蓄電池は、前記コントローラに接続される表示器をさらに含み、
前記コントローラは、前記充電電池の電池電圧および/またはソーラーパネルの光起電力電圧を検出するように配置される、および、
前記表示器は、前記充電電池の電池電圧および/またはソーラーパネルの光起電力電圧が検出されると、前記充電電池の電池電圧および/またはソーラーパネルの光起電力電圧を表示するように配置される、
請求項１５〜１７のいずれか一つに記載の集魚照明装置。
【請求項１９】
前記コントローラに無線接続され前記コントローラを無線制御するように配置されるリモコン端末をさらに備える、請求項１５〜１８のいずれか一つに記載の集魚照明装置。
【発明の詳細な説明】
【関連出願の相互参照】
【０００１】
本出願は、２０１７年５月１２日に中国庁に出願された出願番号が２０１７１０３３３８６９．１である「フローティングソーラー集魚照明装置」に基づく優先権を主張し、その開示の全ての内容は参照により本明細書に組み込まれる。
【技術分野】
【０００２】
本開示は、漁業分野に関し、特に集魚照明装置に関する。
【背景技術】
【０００３】
集魚照明装置は、夜間に使用される集魚装置であって、光を好む魚類の走光性を利用して、光を好む魚類を作業者の要求に従って特定の水域に集合させるように制御するものである。集魚照明装置は、通常として、魚類養殖、漁獲などの漁業作業過程に利用される。
【発明の概要】
【０００４】
本開示の幾つかの実施例は、固定架台、ソーラーパネル、蓄電池、ランプ及び使用時に水に浮くように配置される少なくとも１つのフロートを備え、
前記固定架台および前記蓄電池は、前記少なくとも１つのフロートに取り付けられ、前記ソーラーパネルおよび前記ランプは、前記固定架台に取り付けられ、前記蓄電池は、それぞれ前記ランプと前記ソーラーパネルに接続され、前記ランプは、前記ソーラーパネルの背光面に位置付けられ、前記背光面は、使用時に水面に向かうように配置される、照明集魚装置を提供する。
【０００５】
前記集魚照明装置は、少なくとも１つの蓋板をさらに備え、前記少なくとも１つの蓋板は、前記少なくとも１つのフロートを覆うように前記少なくとも１つのフロートの取り付け面に１対１対応で設けられる。
【０００６】
幾つかの実施例において、前記少なくとも１つの蓋板の各々は、ＰＣ板である。
【０００７】
前記固定架台及び前記蓄電池は、前記少なくとも１つの蓋板を介して前記少なくとも１つのフロートに１対１対応で取り付けられる。
【０００８】
幾つかの実施例において、前記少なくとも１つのフロートは、１つのフロートであり、前記１つのフロートには、貫通する窓が設けられており、
前記ランプは、前記窓の上方に位置付けられ、または、
前記ランプは、使用時に水に沈み、かつ、前記窓の下方に位置付けられるように配置される。
【０００９】
幾つかの実施例において、前記少なくとも１つのフロートは、少なくとも２つのフロートであり、前記少なくとも２つのフロートは、貫通する窓として用いられる空間を画定形成し、前記固定架台は、前記少なくとも２つのフロートに取り付けられ、
前記ランプは、前記窓の上方に位置付けられ、または、
前記ランプは、使用時に水に沈み、且つ前記窓の下方に位置付けられるように配置される。
【００１０】
幾つかの実施例において、前記少なくとも１つのフロートの各々は、フォーム、ＰＣ筒またはフロート筒である。
【００１１】
幾つかの実施例において、前記少なくとも１つのフロートの各々は、防水フォームである。
【００１２】
幾つかの実施例において、前記少なくとも１つのフロートは、少なくとも２つのフロートであり、前記蓄電池は、前記少なくとも２つのフロートの内の１つのフロートの表面に配置され、前記１つのフロートは、前記少なくとも２つのフロートの内の残りの少なくとも１つのフロートの各々よりも体積が大きい。
【００１３】
幾つかの実施例において、前記集魚照明装置は、位置決め部材をさらに備える。前記位置決め部材は、前記固定架台に連結され、かつ、使用時に前記固定架台を水面の上に固定するように配置されている。
【００１４】
幾つかの実施例において、前記固定架台は、複数の底枠、複数の横梁及び複数の縦棒を有し、前記複数の縦棒は、軸線方向が前記少なくとも１つのフロートの取り付け面に直交し、前記少なくとも１つのフロートの取り付け面は、第１の方向に延びる複数の第１のエッジ、及び前記第１の方向と異なる第２の方向に延びる複数の第２のエッジを含み、
前記複数の底枠の各々は、前記複数の第１のエッジの内の相応する第１のエッジを１対１対応で包囲し、前記複数の横梁は、延びる方向が前記第２の方向と同じであり、前記複数の横梁の各々は前記複数の底枠に固定され、前記複数の縦棒の各々は、底端が前記複数の底枠の内の相応する底枠に１対１対応で固定され、前記ソーラーパネルは、前記複数の縦棒の先端に取り付けられ、
前記位置決め部材は、少なくとも１本のロープと、前記少なくとも１本のロープの一端に１対１対応で連結される少なくとも１つの引き綱とを含み、前記少なくとも１本のロープの他端は、前記複数の底枠の内の対応する底枠に１対１対応で連結される。
【００１５】
幾つかの実施例において、前記固定架台は、ランプホルダ、及び前記複数の縦棒に設けられる上枠をさらに有し、前記ランプホルダは、前記上枠の中に設けられ、且つ前記ランプは、前記ランプホルダに固定される。
【００１６】
幾つかの実施例において、前記複数の縦棒の各々は、第１の固定面及び第２の固定面を有し、前記第１の固定面は前記第２の方向に直交し、前記第２の固定面は前記第１の方向に直交し、
前記固定架台は、前記第１の固定面に設けられる横筋交いをさらに有し、前記横筋交いは、上端が前記第１の固定面に連結され、下端が前記複数の底枠の内の１つの底枠に連結され、
前記フロートの取り付け面と、前記横筋交いと、前記複数の縦棒の内の相応する１つの縦棒とは、横方向三角支持構造を構成し、
前記固定架台は、前記第２の固定面に設けられる縦筋交いをさらに有し、前記縦筋交いは、上端が前記第２の固定面に連結され、下端が前記複数の底枠の内の１つの底枠に連結され、前記１つの底枠と、前記縦筋交いと、前記縦棒とは、縦方向三角支持構造を構成する。
【００１７】
幾つかの実施例において、前記複数の縦棒の各々は、複数の縦棒の内の隣接する２つの縦棒を連結するように配置される横棒をさらに有する。
【００１８】
幾つかの実施例において、前記複数の縦棒の内の１つの縦棒は、前記複数の横梁の内の１つの横梁に接触する。
【００１９】
幾つかの実施例において、前記蓄電池は、前記電池ホルダを介して前記少なくとも１つのフロートの内の１つのフロートに取り付けられ、前記電池ホルダは、前記少なくとも１つのフロートの内の１つの第１のエッジを包囲する底枠に固定される。
【００２０】
幾つかの実施例において、前記ソーラーパネルのパネル面は、前記少なくとも１つのフロートの各々のフロートの取り付け面に平行し、または、
前記ソーラーパネルのパネル面は、前記少なくとも１つのフロートの内の各々のフロートの取り付け面となす夾角は、０°超過、且つ９０°未満である。
【００２１】
幾つかの実施例において、前記ランプは、ＤＣランプであり、前記蓄電池は、リチウム電池である。
【００２２】
幾つかの実施例において、前記蓄電池は、出力電圧が１２Ｖの直流電圧であり、前記ランプは、定格電圧が１２Ｖ、電力が５０Ｗ、光束が１１０-１２０ルーメンのＬＥＤランプである。
【００２３】
幾つかの実施例において、前記蓄電池は、充電電池及び前記充電電池を制御するコントローラを有し、前記充電電池は、入力端が前記ソーラーパネルに接続され、出力端が前記ランプに接続されており、
前記コントローラは、光線強度が光線強度の閾値より小さい又はそれに等しいと、前記ランプへ充電するように前記充電電池を制御する一方、光線強度が前記光線強度の閾値より大きいと、前記ランプへの充電を停止するように前記充電電池を制御するように配置される。
【００２４】
幾つかの実施例において、前記コントローラは、さらに、給電時間長および/または給電電力を含む、前記充電電池による前記ランプへの給電対策を設定するように配置される。
【００２５】
幾つかの実施例において、前記コントローラは、光線強度が前記光線強度の閾値より小さい又はそれに等しいと、ｔ１時間遅延して前記ランプへ充電するように前記充電電池を制御する一方、光線強度が前記光線強度の閾値より大きいと、ｔ２時間遅延して前記ランプへの充電を停止するように前記充電電池を制御する、ように配置される。
【００２６】
幾つかの実施例において、前記蓄電池は、前記コントローラに接続される表示器をさらに有し、
前記コントローラは、前記充電電池の電池電圧および/またはソーラーパネルの光起電力電圧を検出可能に配置され、
前記表示器は、前記充電電池の電池電圧および/またはソーラーパネルの光起電力電圧の検出時に、前記充電電池の電池電圧および/またはソーラーパネルの光起電力電圧を表示するように配置される。
【００２７】
幾つかの実施例において、前記集魚照明装置は、更に前記コントローラに無線接続されるリモコン端末を有する。該リモコン端末は前記コントローラを無線制御するように配置される。
【図面の簡単な説明】
【００２８】
ここでの説明に用いる添付の図面は、本開示に対する理解を明確化するためのものであり、本開示の一部を構成する。本開示の例示となる実施例及びその説明は、本開示を釈明するためのものであり、本開示を限定するとは意図しない。
【図１】本開示の幾つかの実施例による集魚照明装置の構成を示す図である。
【図２】本開示の幾つかの実施例による他の集魚照明装置の側面図である。
【図３】本開示の幾つかの実施例による他の集魚照明装置の構造を示す図である。
【図４】本開示の幾つかの実施例による他の集魚照明装置の側面図である。
【図５】本開示の幾つかの実施例による固定架台が少なくとも１つのフロートに取り付けられる取り付け構造を示す図である。
【図６】本開示の幾つかの実施例による蓄電池の構造を示すブロック図である。
【発明を実施するための形態】
【００２９】
本開示の目的、特徴及び効果をより明確にするため、以下、本開示の実施例における添付図面を参照して本開示の技術案を詳しく説明する。言うまでもなく、ここで説明する実施例は、本開示のすべての実施例ではなく、実施例の一部である。本開示における実施例に基づいて、当業者が格別の創意がなく容易に想到できる他のすべての実施例は、本開示の権利範囲に属するものとする。
【００３０】
関連技術においては、集魚照明装置に用いられる照明用電は、発電機または都市配電網のケーブルを介して提供され、照明用電の電圧が２２０Ｖである。夜間集魚のときに、作業者は、集魚照明装置を特定水域に設けてから、２２０Ｖの照明用電により集魚照明装置における照明ランプを光を発するように制御して、光を好む魚類（例えば、グルニオン）を、照明ランプによる光の誘惑で特定水域に集合させ、集魚の目的を達成するようにする。しかしながら、集魚照明装置の作業環境が、屋外の高湿度環境なので、ケーブルは、常に風や太陽に晒されることに起因して、老朽化が加速する一方である。一旦ケーブルによる漏電事故が発生すると、作業者の生命安全が脅されるようになる。なお、ほとんどの作業者は、発電機による電力を照明用電として集魚照明装置に供給する。しかし、発電機を用いる場合、多くの資源が消耗されるだけではなく、発電機の本体が１年間の使用後に大体廃棄される状態になり、発電コストがきわめて大きいのである。極少数の作業者が、都市配電網からケーブルを介して集魚照明装置の照明用電を提供するが、ケーブルは、屋外で高湿度環境下で老朽化速度が相当早いので、都市配電網による集魚照明装置への正常な照明用電提供を確保するように、頻繁に交換する必要がある。さらに、都市配電網によりケーブルを介して集魚照明装置の照明用電を提供する場合には、ケーブルが比較的に長く、ケーブルに障害があれば、多くの人的、物的、財的資源を投入してケーブルの障害発生箇所を探す必要があり、ケーブルの保守・維持コストが向上されてしまう。それと同時に、都市配電網が移動できないという特性を有するので、集魚照明装置の作業場所は、都市配電網に制限され、柔軟に選択することができない。さらに、発電機による集魚照明装置への照明用電提供には、照明用電が多くの資源を消耗するので、環境保全の要求を満たしていないのである。
【００３１】
上述の課題に鑑み、本開示の幾つかの実施例に係る集魚照明装置は、図１から図４に示すように、固定架台１、ソーラーパネル２、蓄電池３、ランプ４及び使用時に水に浮くように配置される少なくとも１つのフロート５を備える。固定架台１および蓄電池３は、前記少なくとも１つのフロート５に取り付けられる。ソーラーパネル２およびランプ４は、固定架台１に取り付けられる。蓄電池３は、それぞれランプ４とソーラーパネル２に接続される。ランプ４は、ソーラーパネル２の背光面２０に位置付けられ、この背光面２０は、使用時に水面に向かうように配置される。
【００３２】
本開示の実施例に係る集魚照明装置は、使用前に集魚対象水域に置かれ、前記少なくとも１つのフロート５が水面に浮くようになる。ソーラーパネル２は、背光面２０が水面に向かい、受光面が水面とは反対面に向かうことにより、集魚照明装置のソーラーパネル２が昼間に太陽エネルギを電気エネルギに変換して蓄電池３に蓄積させるようにする。この集魚照明装置が夜間に使用される場合、蓄電池３は、蓄積した電気エネルギをランプ４に供給して、ランプ４に光を発させて、集魚水域を照らすようにする。よって、光を好む魚類が集魚水域に集合するようになる。
【００３３】
本開示の集魚照明装置の構成や使用過程から明らかなように、固定架台１および蓄電池３は前記少なくとも１つのフロート５に取り付けられ、ソーラーパネル２およびランプ４は固定架台１に取り付けられるので、固定架台１および蓄電池３は、前記少なくとも１つのフロート５によって直接的に支持されるとともに、ソーラーパネル２およびランプ４は固定架台１によって間接的に支持されるようになる。固定架台１、蓄電池３、ソーラーパネル２およびランプ４は、前記少なくとも１つのフロート５によって支持されると同時に、前記少なくとも１つのフロート５に一定の圧力を与えるので、前記少なくとも１つのフロート５は、倒れることや風に吹き飛ばされることがなく、安定に水面に浮くことが確保できるようになる。また、ソーラーパネル２、ランプ４及び蓄電池３は、前記少なくとも１つのフロート５に取り付けられるので、前記少なくとも１つのフロート５が所在の集魚水域の変化によって変化する時、蓄電池３は地理的な位置に制限されることなくランプ４に電気エネルギを提供することができ、集魚照明装置の使用可能範囲はより広くなる。そのため、当該集魚照明装置において、ソーラーパネル２と蓄電池３との組み合わせによってランプ４に給電し、給電が便利、場所が移転しやすく、保守が簡単、使用コストが低いなどの効果を奏する。更に、ソーラーパネル２は、昼間に太陽エネルギを電気エネルギに変換して蓄電池３に蓄積し、ランプ４が夜間に蓄電池３に蓄積された電気を利用して集魚に必要な照明を提供できるようになるので、かかる集魚照明装置の照明用電は、再生不能エネルギを消耗することがないほか、水源に何らかの汚染をもたらすこともないなどの利点を有する。
【００３４】
また、当該集魚照明装置では、ソーラーパネル２は、昼間に太陽エネルギを電気エネルギに変換して蓄電池３に蓄積するので、蓄電池３から出力される電池電圧が発電機または都市配電網から提供される照明用電の電圧よりも低い。このような構成によると、蓄電池３とランプ４との間のケーブルに漏電事故が発生しても、および/または、蓄電池３とソーラーパネル２との間のケーブルに漏電事故が発生しても、作業者に被害を与えることがない。
【００３５】
幾つかの実施例において、固定架台１は、ソーラーパネル２に対する支持を強化するため、アルミニウム合金で作製される。勿論、固定架台１は、他の高強度の金属または合金で作製されてもよい。
【００３６】
幾つかの実施例において、図１から図４に示すように、集魚照明装置は、少なくとも１つの蓋板５０をさらに備える。前記少なくとも１つの蓋板５０は、前記少なくとも１つのフロート５を覆うように前記少なくとも１つのフロート５の取り付け面５００に１対１対応で設けられることにより、蓋板５０をもってフロート５を保護し、よってフロート５の使用寿命を向上すると共に、少なくとも１つのフロート５の各々のフロート５により良い水面浮遊安定性を持たせる。蓋板５０は、例えば、ＰＣ板またはフォーム板など種々の材料によって提供される。
【００３７】
幾つかの実施例において、固定架台１および蓄電池３は、前記少なくとも１つの蓋板５０を介して前記少なくとも１つのフロート５に取り付けられる。このような構成によると、固定架台１および蓄電池３は、蓋板５０を前記少なくとも１つのフロート５の表面に押し付けることができ、少なくとも１つの蓋板５０が前記少なくとも１つのフロート５に１対１対応で強固に取り付けられることが確保される。
【００３８】
幾つかの実施例において、集魚照明装置に含まれるフロート５の数は、実際の状況に応じて設定される。幾つかの実施例において、前記少なくとも１つのフロート５は、１つのフロート５であり、この１つのフロートには、貫通する窓１００が設けられている。他の幾つかの実施例において、前記少なくとも１つのフロート５は、少なくとも２つのフロート５であり、前記少なくとも２つのフロート５は、貫通する窓１００として用いられる空間を画成形成し、固定架台１は、該少なくとも２つのフロート５に取り付けられる。幾つかの実施例において、図１および図５に示すように、前記少なくとも１つのフロート５は、２つのフロート５であり、これら２つのフロート５はそれぞれ第１のフロート５１と第２のフロート５２であり、第１のフロート５１と第２のフロート５２との間には、貫通する窓１００としての空間がある。固定架台１は、第１のフロート５１および第２のフロート５２に取り付けられるとともに、第１のフロート５１と第２のフロート５２とを１つのフロート結合体に組み合わせることにより、カタマラン型フロートを形成する。
【００３９】
幾つかの実施例において、前記少なくとも１つのフロート５が少なくとも２つのフロート５である場合、蓄電池３は、前記少なくとも２つのフロート５の内の１つのフロート５の表面に配置され、該１つのフロート５は、少なくとも２つのフロート５の他の少なくとも１つのフロート５の各々より体積が大きい。この構成によると、集魚照明装置の使用時に、該１つのフロート５と残りの他の少なくとも１つのフロート５との喫水深さを一致することができ、フロート５は固定架台１、蓄電池３、ソーラーパネル２およびランプ４を安定的に支持するようになる。集魚照明装置の夜間使用時に、貫通する窓１００の水中における位置は、光を好む魚類のよく出没する水中位置と解されるべきである。
【００４０】
幾つかの実施例において、ランプ４は、窓１００の上方に位置付けられる。この構成によると、集魚照明装置の夜間使用時に、ランプ４は水面上方に位置付けられ、かつ、ランプ４の発する光線は窓１００を通して水面に照射し、光を好む魚類を集合させることができ、作業者による養殖または捕獲などの作業に便利を提供する。他の幾つかの実施例において、ランプ４は、窓１００の下方に位置付けられ、かつ、使用時に水中に沈むように配置される。この構成によると、集魚照明装置の夜間使用時に、ランプ４の発する光が水域を明るく照らし、光を好む魚類をよりよく集合させて、作業者による養殖または捕獲などの作業に便利を提供する。
【００４１】
幾つかの実施例において、前記少なくとも１つのフロート５の各々は、フォーム、ＰＣ筒またはフロート筒であり、フロート５に良い浮力を持たせると共に、所要材料が容易に入手できる。幾つかの実施例において、フォームは、例えば、硬質防水フォームまたはコンパクト防水フォームなどの防水フォームによって提供される。
【００４２】
幾つかの実施例において、図１から図５に示すように、固定架台１は、複数の底枠１１、複数の横梁１２及び複数の縦棒１３を有する。前記複数の縦棒１３は、軸方向が前記少なくとも１つのフロート５の取り付け面５００に直交する。前記少なくとも１つのフロート５の取り付け面５００は、第１の方向に延びる複数の第１のエッジＬ１、及び第１の方向とは異なる第２の方向に延びる複数の第２のエッジＬ２を含む。
【００４３】
前記複数の底枠１１の各々は、前記複数の第１のエッジＬ１の内の相応する第１のエッジＬ１を１対１対応で包囲する。前記複数の横梁１２は、延びる方向が第２の方向と同じであり、前記複数の横梁１２の内の１つの横梁が、前記複数の底枠１１に固定される。前記複数の縦棒１３の各々は、底端が前記複数の底枠１１の内の相応する底枠に１対１対応で固定される。ソーラーパネル２は、前記複数の縦棒１３の先端に取り付けられるので、底枠１１は、前記複数の縦棒１３のベースとしてソーラーパネル２を支持する機能を発揮するようになる。
【００４４】
幾つかの実施例において、図１に示すように、集魚照明装置は、位置決め部材６をさらに備える。この位置決め部材６は、固定架台１に接続され、かつ、使用時に固定架台１を水面の上に固定するように配置される。この構成によると、当該位置決め部材は、アンカーに類する機能を発揮し、フロート５が風に吹き飛ばされることを回避できる。
【００４５】
幾つかの実施例において、図１に示すように、位置決め部材６は、少なくとも１本のロープ６１、および該少なくとも１本のロープ６１の一端に１対１対応で連結される少なくとも１つの引き綱６２を有し、該少なくとも１本のロープの他端は、前記複数の底枠１１の対応する底枠に１対１対応で接続される。引き綱６２は、重量物６２１を受容する綱袋６２０を含み、重量物６２１は、例えば、石塊、金属塊（例えば鉛塊、鉄塊）などである。集魚照明装置の使用時に、引き綱は、水に沈み、ロープを介して底枠１１に連結されることにより、底枠１１を水面の上に固定できる。底枠１１、縦棒１３、横梁１２が相互に連結して固定架台１を構成し、固定架台１がフロート５に取り付けられるので、集魚照明装置の使用時に、位置決め部材６は、間接的に前記少なくとも１つのフロート５を水面に安定的に固定して、前記少なくとも１つのフロート５の水面での漂流を防ぐ。
【００４６】
幾つかの実施例において、上述の複数の縦棒１３の各々は、第１の固定面Ｍ１および第２の固定面Ｍ２を有し、第１の固定面Ｍ１が第２の方向に直交し、第２の固定面Ｍ２が第１の方向に直交する。該固定架台１は、前記第１の固定面Ｍ１に設けられる横筋交い１４をさらに有する。横筋交い１４は、上端が第１の固定面Ｍ１に連結され、下端が複数の底枠１１の内の１つの底枠に連結される。フロート５の取り付け面５００と、横筋交い１４と、複数の縦棒１３の内の相応する１つの縦棒とは、横方向三角支持構造を構成する。固定架台１は、第２の固定面Ｍ２に設けられる縦筋交い１５をさらに有し、縦筋交い１５は、上端が第２の固定面Ｍ２に連結され、下端が複数の底枠１１の内の１つの底枠１１に連結され、該１つの底枠１１と、縦筋交い１５と、縦棒１３とは、縦方向三角支持構造を構成する。この構成によると、横方向三角支持構造および縦方向三角支持構造を介して縦棒１３および底枠１１を支持することができ、縦棒１３および底枠１１が所在する固定架台１に良好な構造強度および安定性を持たせ、固定架台１のソーラーパネル２に対する支持が強化されるので、大きい風に遭っても簡単に倒れることがない。
【００４７】
幾つかの実施例において、上述の横筋交い１４は、さらに、下端が横梁１２に接触することにより、横梁１２が横筋交い１４に対して一定の側方支持力を与えるので、横筋交い１４が傾斜し横筋交い１４の縦棒１３および底枠１１に対する支持が影響されるは避けられる。
【００４８】
幾つかの実施例において、前記固定架台１は、複数の縦棒１３の内の隣接する２つの縦棒１３を連結するための横棒１８をさらに有する。この構成によると、前記複数の縦棒１３に良好な安定性を持たせ、複数の縦棒１３の所在する固定架台１の構造強度および安定性をさらに向上することができる。
【００４９】
幾つかの実施例において、前記複数の縦棒１３の内の１つの縦棒１３は、前記複数の横梁１２の内の１つの横梁１２に接触する。この構成によると、該１つの横梁１２が該１つの縦棒１３に対して一定の側方支持力を与え、縦棒１３の傾斜を回避し、ひいては縦棒１３のソーラーパネル２に対する支持の安定性を確保できる。
【００５０】
幾つかの実施例において、蓄電池３は、電池ホルダを介して前記少なくとも１つのフロート５の１つのフロートに取り付けられ、電池ホルダは、前記少なくとも１つのフロート５の内の１つのフロート５の第１のエッジＬ１を包囲する底枠１１に固定される。この構成によると、電池ホルダは、蓄電池３を取り付けるための取り付け部材のみとして該底枠１１に設けられるだけでなく、固定架台１の固定部材として底枠１１に設けられる。
【００５１】
幾つかの実施例において、ソーラーパネル２は、水平または傾斜に前記複数の縦棒１３の先端に取り付けられる。言い換えれば、幾つかの実施例において、ソーラーパネル２のパネル面は、前記少なくとも１つのフロート５の各々の取り付け面５００に平行する。他の幾つかの実施例において、ソーラーパネル２のパネル面は、前記少なくとも１つのフロート５の各々の取り付け面５００となす夾角は、０°超過、且つ９０°未満である。
【００５２】
幾つかの実施例において、図１から図４に示すように、固定架台１は、ランプホルダ１６、及び前記複数の縦棒１３に設けられる上枠１７をさらに有する。上枠１７は、ソーラーパネル２の背光面２０に近接し、かつ、前記複数の底枠１１から離れる。ランプホルダ１６は、上枠１７の中に設けられ、ランプ４がランプホルダ１６に固定されるので、ランプ４はソーラーパネル２の背光面２０の下方に吊り下げられるようになる。ランプ４がソーラーパネル２の背光面２０の下方に吊り下げられるので、ソーラーパネル２がランプ４の保護カバーとなり、ランプ４は長時間に太陽や雨に晒されることがなく、使用寿命が延長される効果を奏する。上枠１７は、実際の状況によって取り付け箇所が適宜決定可能である。例えば、上枠１７は、ソーラーパネル２の背光面２０に近接し、フロート５の取り付け面５００から離れるように取り付けられることも考えられる。
【００５３】
幾つかの実施例において、図１から図５に示すように、集魚照明装置は、２つのフロート５、固定架台１、蓄電池３、ソーラーパネル２およびランプ４を備える。２つのフロート５は、第１のフロート５１と第２のフロート５２である。第１のフロート５１および第２のフロート５２は、いずれも直方体構造となり、かつ、第１のフロート５１と第２のフロート５２との間には、貫通する窓１００としての空間がある。第１のフロート５１および第２のフロート５２は、いずれも、２つの第１のエッジＬ１および２つの第２のエッジＬ２を有し、２つの第１のエッジＬ１は直方体の長さ方向に延び、２つの第２のエッジＬ２は直方体の幅方向に延びる。第１のフロート５１の取り付け面５００には第１のフロート５１を覆う第１の蓋板５１０が設けられ、第２のフロート５２の取り付け面５００には第２のフロート５２を覆う第２の蓋板５２０が設けられる。
【００５４】
幾つかの実施例において、固定架台１は、４つの底枠１１、２つの横梁１２、４つの縦棒１３、４つの横筋交い１４、４つの縦筋交い１５、１つの上枠１７、４つの横棒１８、１つのランプホルダ１６、及び１つの電池ホルダ１０を有する。４つの底枠１１は、第１の底枠１１１、第２の底枠１１２、第３の底枠１１３と第４の底枠１１４である。第１の底枠１１１および第２の底枠１１２は、第１のフロート５１の２つの第１のエッジＬ１を１対１対応で包囲し、第３の底枠１１３および第４の底枠１１４は、第２のフロート５２の２つの第１のエッジＬ１を１対１対応で包囲する。電池ホルダ１０は、第１の底枠１１１および第２の底枠１１２に設けられるとともに、第１の底枠１１１と第２の底枠１１２とを連結する。電池ホルダ１０には、ソーラーパネル２およびランプ４に接続される蓄電池３が取り付けられている。
【００５５】
幾つかの実施例において、２つの横梁１２は、第１の横梁１２１と第２の横梁１２２であり、第１の横梁１２１は、第１のフロート５１の２つの第２のエッジＬ２の一方と第２のフロート５２の２つの第２のエッジＬ２の一方とを連結し、該第１のフロート５１の２つの第２のエッジＬ２の一方と該第２のフロート５２の２つの第２のエッジＬ２の一方は同一の方向に延びる。第２の横梁１２２は、第１のフロート５１の２つの第２のエッジＬ２の他方と第２のフロート５２の２つの第２のエッジＬ２の他方とを連結し、該第１のフロート５１の２つの第２のエッジＬ２の他方と該第２のフロート５２の２つの第２のエッジＬ２の他方は同一の方向に延びる。
【００５６】
幾つかの実施例において、４つの縦棒１３の各々は、第１の固定面Ｍ１、および第２の固定面Ｍ２を有する。第１の固定面Ｍ１は直方体の幅方向に直交し、第２の固定面Ｍ２は直方体の長さ方向に直交する。４つの縦棒１３は、第１の縦棒１３１、第２の縦棒１３２、第３の縦棒１３３および第４の縦棒１３４である。
【００５７】
幾つかの実施例において、第１の底枠１１１は、２つのフロートの間にある空間に近接し、これに対して、第２の底枠１１２は、２つのフロートの間にある空間から離れる。第１の縦棒１３１の底端および第２の縦棒１３２の底端は第１の底枠１１１に固定され、かつ、第１の縦棒１３１の底端は第１の横梁１２１に接触し、第２の縦棒１３２の底端は第２の横梁１２２に接触する。第３の底枠１１３は、２つのフロートの間にある空間に近接し、これに対して、第４の底枠１１４は、２つのフロートの間にある空間から離れる。第３の縦棒１３３の底端および第４の縦棒１３４の底端は第３の底枠１１３に固定され、かつ、第３の縦棒１３３の底端は第１の横梁１２１と接触し、第４の縦棒１３４の底端は第２の横梁１２２と接触する。ソーラーパネル２は、第１の縦棒１３１の先端、第２の縦棒１３２の先端、第３の縦棒１３３の先端および第４の縦棒１３４の先端に設けられる。第１の縦棒１３１、第２の縦棒１３２、第３の縦棒１３３および第４の縦棒１３４は、上枠１７を介して一体に連結され、ランプホルダ１６は上枠１７の中に取り付けられ、ランプ４はランプホルダ１６に固定される。
【００５８】
幾つかの実施例において、４つの横筋交い１４は、第１の横筋交い１４１、第２の横筋交い１４２、第３の横筋交い１４３および第４の横筋交い１４４である。４つの縦筋交い１５は、第１の縦筋交い１５１、第２の縦筋交い１５２、第３の縦筋交い１５３および第４の縦筋交い１５４である。４つの横棒１８は、第１の横棒１８１、第２の横棒１８２、第３の横棒１８３と第４の横棒１８４である。
【００５９】
幾つかの実施例において、第１の縦棒１３１の第１の固定面Ｍ１には、第１の横筋交い１４１の上端が連結される。第１の横筋交い１４１の下端は第２の底枠１１２に連結され、かつ、第１の横筋交い１４１の下端はさらに第１の横梁１２１と接触する。第１のフロート５１の取り付け面５００と、第１の横筋交い１４１と、第１の縦棒１３１とは、第１の横方向三角支持構造を構成する。第１の縦棒１３１の第２の固定面Ｍ２には、第１の縦筋交い１５１の上端が連結され、第１の縦筋交い１５１の下端は第１の底枠１１１に連結される。第１の縦棒１３１と、第１の縦筋交い１５１と、第１の底枠１１１とは、第１の縦方向三角支持構造を構成する。第２の縦棒１３２の第１の固定面Ｍ１には、第２の横筋交い１４２の上端が連結し、第２の横筋交い１４２の下端は第２の底枠１１２に連結され、かつ、第２の横筋交い１４２の下端はさらに第２の横梁１２２と接触する。第１のフロート５１の取り付け面５００と、第２の横筋交い１４２と、第２の縦棒１３２とは、第１の横方向三角支持構造を構成する。第２の縦棒１３２の第２の固定面Ｍ２には、第２の縦筋交い１５２の上端が連結され、第２の縦筋交い１５２の下端は第１の底枠１１１に連結され、第２の縦棒１３２と、第２の縦筋交い１５２と、第１の底枠１１１とは、第２の縦方向三角支持構造を構成する。第３の縦棒１３３の第１の固定面Ｍ１には、第３の横筋交い１４３の上端が連結される。第３の横筋交い１４３の下端は第４の底枠１１４に連結され、かつ、第３の横筋交い１４３の下端はさらに第１の横梁１２１と接触する。第２のフロート５２の取り付け面５００と、第３の横筋交い１４３と、第３の縦棒１３３とは、第３の横方向三角支持構造を構成する。第３の縦棒１３３の第２の固定面Ｍ２には、第３の縦筋交い１５３の上端が連結され、第３の縦筋交い１５３の下端は第３の底枠１１３に連結され、第３の縦棒１３３と、第３の縦筋交い１５３と、第３の底枠１１３とは、第３の縦方向三角支持構造を構成する。第４の縦棒１３４の第１の固定面Ｍ１には、第４の横筋交い１４４の上端が連結される。第４の横筋交い１４４の下端は第４の底枠１１４に連結され、かつ、第４の横筋交い１４４の下端はさらに第２の横梁１２２と接触し、第２のフロート５２の取り付け面５００と、第４の横筋交い１４４と、第４の縦棒１３４とは、第４の横方向三角支持構造を構成する。第４の縦棒１３４の第２の固定面Ｍ２には、第４の縦筋交い１５４の上端が連結される。第４の縦筋交い１５４の下端は第３の底枠１１３に連結され、第４の縦棒１３４と、第４の縦筋交い１５４と、第３の底枠１１３とは、第４の縦方向三角支持構造を構成する。
【００６０】
幾つかの実施例において、第１の縦棒１３１と第３の縦棒１３３とは、第１の横棒１８１を介して連結され、第２の縦棒１３２と第４の縦棒１３４とは、第２の横棒１８２を介して連結され、第１の縦棒１３１の先端と第２の縦棒１３２の先端とは、第３の横棒１８３を介して連結され、第３の縦棒１３３の先端と第４の縦棒１３４の先端とは、第４の横棒１８４を介して連結される。
【００６１】
幾つかの実施例において、上述のランプ４はＤＣランプであり、蓄電池３はリチウム電池である。例えば、蓄電池３は、出力電圧が１２Ｖの直流電圧であり、ランプ４は、定格電圧が１２Ｖ、電力が５０Ｗ、光束が１１０-１２０ルーメンのＬＥＤランプである。この構成によると、インバータがなくても、ランプ４へ電力を直接提供できるので、集魚のコストを低減させる。なお、ランプ４に用いられる光ケーブルは、漏電が発生しても、１２Ｖの電圧であるから感電のリスクがない。
【００６２】
幾つかの実施例において、蓄電池３は、充電電池３１と充電電池３１を制御するためのコントローラ３０とを含む。充電電池３１は、入力端がソーラーパネル２に接続され、出力端がランプ４に接続される。コントローラ３０は、光線強度が光線強度閾値より小さい又はそれに等しいと、前記ランプ４へ充電するように充電電池３１を制御する一方、光線強度が光線強度の閾値より大きいと、ランプ４への充電を停止するように充電電池３１を制御する。
【００６３】
幾つかの実施例において、コントローラ３０は、さらに、給電時間長および/または給電電力を含む、充電電池３１によるランプ４への給電対策を設定できるように配置され、集魚時の光を最適状態となるように制御することができる。
【００６４】
光線強度による誤差を避けるため、幾つかの実施例において、コントローラ３０は、光線強度が前記光線強度閾値より小さい又はそれに等しいと、ｔ１時間（例えば１０s）遅延して前記ランプへ充電するように充電電池３１を制御する一方、光線強度が前記光線強度の閾値より大きいと、ｔ２時間（例えば３min）遅延して前記ランプへ充電するように充電電池３１を制御する、ように配置される。
【００６５】
幾つかの実施例において、蓄電池３は、コントローラ３０に接続される表示器３００をさらに含む。コントローラ３０は、充電電池３１の電池電圧および/またはソーラーパネル２の光起電力電圧を検出できるように配置され、表示器３００は、充電電池３１の電池電圧および/またはソーラーパネル２の光起電力電圧が検出されると、充電電池３１の電池電圧および/またはソーラーパネル２の光起電力電圧を表示する、ように配置される。
【００６６】
幾つかの実施例において、コントローラ３０は、マニュアルコントローラであり、該マニュアルコントローラには、給電対策を設定するためのボタンが設けられている。作業者は、ボタンによって給電対策をマニュアルコントローラに入力して、マニュアルコントローラに給電対策に基づいてランプへ給電させる。
【００６７】
幾つかの実施例において、集魚照明装置は、コントローラ３０に無線接続されてコントローラ３０を無線制御するリモコン端末３２をさらに有し、無人化・知能化集魚作業を実現する。幾つかの実施例において、当該リモコン端末３２は、リモコン、携帯電話、タブレットＰＣなどのモバイル端末である。幾つかの実施例において、当該リモコン端末３２は、デスクトップコンピュータなどの据置型端末である。遠隔制御時に、リモコン端末３２を介して給電対策を設定し、該給電対策をコントローラ３０に無線伝送して、コントローラ３０の給電対策による制御を実現させる。リモコン端末３２には表示画面がある場合、リモコン端末３２によって設定された給電対策は、表示画面に表示させても良い。幾つかの実施例において、リモコン端末３２は、パラメータ設定を可能にするため、少なくとも１つのコントローラ３０を制御する。
【００６８】
幾つかの実施例において、コントローラ３０およびリモコン端末３２は、いずれも、本開示に記載の一つまたは複数の操作および/または機能を実行するようにプログラミングされたマイクロプロセッサによって実行される。幾つかの実施例において、コントローラ３０は、専門的に配置されたハードウエアによって全体または部分的実行される（例えば、一つまたは複数の専用集積回路やASIC（s）によって実行される）。
【００６９】
本開示の各実施例は、いずれも漸進的に記述されており、実施例同士の同一又は類似の部分がお互いに参照してもよく、各実施例は、主として他の実施例との異なる部分を重点的に説明する。特に、装置の実施例に関しては、基本的に方法の実施例に似ているものであるため、比較的に簡単に記述され、関連するものについては、方法の実施例の対応説明を参照すれば明確となる。
【００７０】
当業者が理解できるように、上述の実施例方法における全部又は一部のフローチャートは、コンピュータプログラムによる関連するハードウエアへの指示で実現されることができ、前記プログラムはコンピュータ読み取り可能な記憶媒体に記憶可能であり、該プログラムは、実行時に、上述の各方法の実施例のフローチャートを含むものとする。前記記憶媒体は、磁気ディスク、光ディスク、読み出し専用のメモリ（Ｒｅａｄ−Ｏｎｌｙ  Ｍｅｍｏｒｙ，ＲＯＭ）、又は、ランダムアクセスメモリ（Ｒａｎｄｏｍ  Ａｃｃｅｓｓ  Ｍｅｍｏｒｙ，ＲＡＭ）などであってよい。
【００７１】
以上に説明したのは、本開示の幾つかの実施形態のみであり、本開示の保護範囲は、これらに限定されない。本分野に熟知している技術者が本開示に開示される技術的範囲内に容易に想到できる変更や置換は、いずれも本開示の保護範囲内に含まれるものとする。従って、本開示の保護範囲は、特許請求の範囲に記載された権利範囲に準拠する。
【図１】
2019523962.tif 000003
【図２】
2019523962.tif 000004
【図３】
2019523962.tif 000005
【図４】
2019523962.tif 000006
【図５】
2019523962.tif 000007
【図６】
2019523962.tif 000008
【手続補正書】
【提出日】平成30年9月28日(2018.9.28)
【手続補正１】
【補正対象書類名】明細書
【補正対象項目名】全文
【補正方法】変更
【補正の内容】
【発明の詳細な説明】
【関連出願の相互参照】
【０００１】
本出願は、２０１７年５月１２日に中国庁に出願された出願番号が２０１７１０３３３８６９．１である「フローティングソーラー集魚照明装置」に基づく優先権を主張し、その開示の全ての内容は参照により本明細書に組み込まれる。
【技術分野】
【０００２】
本開示は、漁業分野に関し、特に集魚照明装置に関する。
【背景技術】
【０００３】
集魚照明装置は、夜間に使用される集魚装置であって、光を好む魚類の走光性を利用して、光を好む魚類を作業者の要求に従って特定の水域に集合させるように制御するものである。集魚照明装置は、通常として、魚類養殖、漁獲などの漁業作業過程に利用される。
【発明の概要】
【０００４】
本開示の幾つかの実施例は、固定架台、ソーラーパネル、蓄電池、ランプ及び使用時に水に浮くように配置される少なくとも１つのフロートを備え、
前記固定架台および前記蓄電池は、前記少なくとも１つのフロートに取り付けられ、前記ソーラーパネルおよび前記ランプは、前記固定架台に取り付けられ、前記蓄電池は、それぞれ前記ランプと前記ソーラーパネルに接続され、前記ランプは、前記ソーラーパネルの背光面に位置付けられ、前記背光面は、使用時に水面に向かうように配置される、照明集魚装置を提供する。
【０００５】
前記集魚照明装置は、少なくとも１つの蓋板をさらに備え、前記少なくとも１つの蓋板は、前記少なくとも１つのフロートを覆うように前記少なくとも１つのフロートの取り付け面に１対１対応で設けられる。
【０００６】
幾つかの実施例において、前記少なくとも１つの蓋板の各々は、ＰＣ板である。
【０００７】
前記固定架台及び前記蓄電池は、前記少なくとも１つの蓋板を介して前記少なくとも１つのフロートに１対１対応で取り付けられる。
【０００８】
幾つかの実施例において、前記少なくとも１つのフロートは、１つのフロートであり、前記１つのフロートには、貫通する窓が設けられており、
前記ランプは、前記窓の上方に位置付けられ、または、
前記ランプは、使用時に水に沈み、かつ、前記窓の下方に位置付けられるように配置される。
【０００９】
幾つかの実施例において、前記少なくとも１つのフロートは、少なくとも２つのフロートであり、前記少なくとも２つのフロートは、貫通する窓として用いられる空間を画定形成し、前記固定架台は、前記少なくとも２つのフロートに取り付けられ、
前記ランプは、前記窓の上方に位置付けられ、または、
前記ランプは、使用時に水に沈み、且つ前記窓の下方に位置付けられるように配置される。
【００１０】
幾つかの実施例において、前記少なくとも１つのフロートの各々は、フォーム、ＰＣ筒またはフロート筒である。
【００１１】
幾つかの実施例において、前記少なくとも１つのフロートの各々は、防水フォームである。
【００１２】
幾つかの実施例において、前記少なくとも１つのフロートは、少なくとも２つのフロートであり、前記蓄電池は、前記少なくとも２つのフロートの内の１つのフロートの表面に配置され、前記１つのフロートは、前記少なくとも２つのフロートの内の残りの少なくとも１つのフロートの各々よりも体積が大きい。
【００１３】
幾つかの実施例において、前記集魚照明装置は、位置決め部材をさらに備える。前記位置決め部材は、前記固定架台に連結され、かつ、使用時に前記固定架台を水面の上に固定するように配置されている。
【００１４】
幾つかの実施例において、前記固定架台は、複数の底枠、複数の横梁及び複数の縦棒を有し、前記複数の縦棒は、軸線方向が前記少なくとも１つのフロートの取り付け面に直交し、前記少なくとも１つのフロートの取り付け面は、第１の方向に延びる複数の第１のエッジ、及び前記第１の方向と異なる第２の方向に延びる複数の第２のエッジを含み、
前記複数の底枠の各々は、前記複数の第１のエッジの内の相応する第１のエッジを１対１対応で包囲し、前記複数の横梁は、延びる方向が前記第２の方向と同じであり、前記複数の横梁の各々は前記複数の底枠に固定され、前記複数の縦棒の各々は、底端が前記複数の底枠の内の相応する底枠に１対１対応で固定され、前記ソーラーパネルは、前記複数の縦棒の先端に取り付けられ、
前記位置決め部材は、少なくとも１本のロープと、前記少なくとも１本のロープの一端に１対１対応で連結される少なくとも１つの引き綱とを含み、前記少なくとも１本のロープの他端は、前記複数の底枠の内の対応する底枠に１対１対応で連結される。
【００１５】
幾つかの実施例において、前記固定架台は、ランプホルダ、及び前記複数の縦棒に設けられる上枠をさらに有し、前記ランプホルダは、前記上枠の中に設けられ、且つ前記ランプは、前記ランプホルダに固定される。
【００１６】
幾つかの実施例において、前記複数の縦棒の各々は、第１の固定面及び第２の固定面を有し、前記第１の固定面は前記第２の方向に直交し、前記第２の固定面は前記第１の方向に直交し、
前記固定架台は、前記第１の固定面に設けられる横筋交いをさらに有し、前記横筋交いは、上端が前記第１の固定面に連結され、下端が前記複数の底枠の内の１つの底枠に連結され、
前記フロートの取り付け面と、前記横筋交いと、前記複数の縦棒の内の相応する１つの縦棒とは、横方向三角支持構造を構成し、
前記固定架台は、前記第２の固定面に設けられる縦筋交いをさらに有し、前記縦筋交いは、上端が前記第２の固定面に連結され、下端が前記複数の底枠の内の１つの底枠に連結され、前記１つの底枠と、前記縦筋交いと、前記縦棒とは、縦方向三角支持構造を構成する。
【００１７】
幾つかの実施例において、前記複数の縦棒の各々は、複数の縦棒の内の隣接する２つの縦棒を連結するように配置される横棒をさらに有する。
【００１８】
幾つかの実施例において、前記複数の縦棒の内の１つの縦棒は、前記複数の横梁の内の１つの横梁に接触する。
【００１９】
幾つかの実施例において、前記蓄電池は、前記電池ホルダを介して前記少なくとも１つのフロートの内の１つのフロートに取り付けられ、前記電池ホルダは、前記少なくとも１つのフロートの内の１つの第１のエッジを包囲する底枠に固定される。
【００２０】
幾つかの実施例において、前記ソーラーパネルのパネル面は、前記少なくとも１つのフロートの各々のフロートの取り付け面に平行し、または、
前記ソーラーパネルのパネル面は、前記少なくとも１つのフロートの内の各々のフロートの取り付け面となす夾角は、０°超過、且つ９０°未満である。
【００２１】
幾つかの実施例において、前記ランプは、ＤＣランプであり、前記蓄電池は、リチウム電池である。
【００２２】
幾つかの実施例において、前記蓄電池は、出力電圧が１２Ｖの直流電圧であり、前記ランプは、定格電圧が１２Ｖ、電力が５０Ｗ、光束が１１０-１２０ルーメンのＬＥＤランプである。
【００２３】
幾つかの実施例において、前記蓄電池は、充電電池及び前記充電電池を制御するコントローラを有し、前記充電電池は、入力端が前記ソーラーパネルに接続され、出力端が前記ランプに接続されており、
前記コントローラは、光線強度が光線強度の閾値より小さい又はそれに等しいと、前記ランプへ充電するように前記充電電池を制御する一方、光線強度が前記光線強度の閾値より大きいと、前記ランプへの充電を停止するように前記充電電池を制御するように配置される。
【００２４】
幾つかの実施例において、前記コントローラは、さらに、給電時間長および/または給電電力を含む、前記充電電池による前記ランプへの給電対策を設定するように配置される。
【００２５】
幾つかの実施例において、前記コントローラは、光線強度が前記光線強度の閾値より小さい又はそれに等しいと、ｔ１時間遅延して前記ランプへ充電するように前記充電電池を制御する一方、光線強度が前記光線強度の閾値より大きいと、ｔ２時間遅延して前記ランプへの充電を停止するように前記充電電池を制御する、ように配置される。
【００２６】
幾つかの実施例において、前記蓄電池は、前記コントローラに接続される表示器をさらに有し、
前記コントローラは、前記充電電池の電池電圧および/またはソーラーパネルの光起電力電圧を検出可能に配置され、
前記表示器は、前記充電電池の電池電圧および/またはソーラーパネルの光起電力電圧の検出時に、前記充電電池の電池電圧および/またはソーラーパネルの光起電力電圧を表示するように配置される。
【００２７】
幾つかの実施例において、前記集魚照明装置は、更に前記コントローラに無線接続されるリモコン端末を有する。該リモコン端末は前記コントローラを無線制御するように配置される。
【図面の簡単な説明】
【００２８】
ここでの説明に用いる添付の図面は、本開示に対する理解を明確化するためのものであり、本開示の一部を構成する。本開示の例示となる実施例及びその説明は、本開示を釈明するためのものであり、本開示を限定するとは意図しない。
【図１】本開示の幾つかの実施例による集魚照明装置の構成を示す図である。
【図２】本開示の幾つかの実施例による他の集魚照明装置の側面図である。
【図３】本開示の幾つかの実施例による他の集魚照明装置の構造を示す図である。
【図４】本開示の幾つかの実施例による他の集魚照明装置の側面図である。
【図５】本開示の幾つかの実施例による固定架台が少なくとも１つのフロートに取り付けられる取り付け構造を示す図である。
【図６】本開示の幾つかの実施例による蓄電池の構造を示すブロック図である。
【発明を実施するための形態】
【００２９】
本開示の目的、特徴及び効果をより明確にするため、以下、本開示の実施例における添付図面を参照して本開示の技術案を詳しく説明する。言うまでもなく、ここで説明する実施例は、本開示のすべての実施例ではなく、実施例の一部である。本開示における実施例に基づいて、当業者が格別の創意がなく容易に想到できる他のすべての実施例は、本開示の権利範囲に属するものとする。
【００３０】
関連技術においては、集魚照明装置に用いられる照明用電は、発電機または都市配電網のケーブルを介して提供され、照明用電の電圧が２２０Ｖである。夜間集魚のときに、作業者は、集魚照明装置を特定水域に設けてから、２２０Ｖの照明用電により集魚照明装置における照明ランプを光を発するように制御して、光を好む魚類（例えば、グルニオン）を、照明ランプによる光の誘惑で特定水域に集合させ、集魚の目的を達成するようにする。しかしながら、集魚照明装置の作業環境が、屋外の高湿度環境なので、ケーブルは、常に風や太陽に晒されることに起因して、老朽化が加速する一方である。一旦ケーブルによる漏電事故が発生すると、作業者の生命安全が脅されるようになる。なお、ほとんどの作業者は、発電機による電力を照明用電として集魚照明装置に供給する。しかし、発電機を用いる場合、多くの資源が消耗されるだけではなく、発電機の本体が１年間の使用後に大体廃棄される状態になり、発電コストがきわめて大きいのである。極少数の作業者が、都市配電網からケーブルを介して集魚照明装置の照明用電を提供するが、ケーブルは、屋外で高湿度環境下で老朽化速度が相当早いので、都市配電網による集魚照明装置への正常な照明用電提供を確保するように、頻繁に交換する必要がある。さらに、都市配電網によりケーブルを介して集魚照明装置の照明用電を提供する場合には、ケーブルが比較的に長く、ケーブルに障害があれば、多くの人的、物的、財的資源を投入してケーブルの障害発生箇所を探す必要があり、ケーブルの保守・維持コストが向上されてしまう。それと同時に、都市配電網が移動できないという特性を有するので、集魚照明装置の作業場所は、都市配電網に制限され、柔軟に選択することができない。さらに、発電機による集魚照明装置への照明用電提供には、照明用電が多くの資源を消耗するので、環境保全の要求を満たしていないのである。
【００３１】
上述の課題に鑑み、本開示の幾つかの実施例に係る集魚照明装置は、図１から図４に示すように、固定架台１、ソーラーパネル２、蓄電池３、ランプ４及び使用時に水に浮くように配置される少なくとも１つのフロート５を備える。固定架台１および蓄電池３は、前記少なくとも１つのフロート５に取り付けられる。ソーラーパネル２およびランプ４は、固定架台１に取り付けられる。蓄電池３は、それぞれランプ４とソーラーパネル２に接続される。ランプ４は、ソーラーパネル２の背光面２０に位置付けられ、この背光面２０は、使用時に水面に向かうように配置される。
【００３２】
本開示の実施例に係る集魚照明装置は、使用前に集魚対象水域に置かれ、前記少なくとも１つのフロート５が水面に浮くようになる。ソーラーパネル２は、背光面２０が水面に向かい、受光面が水面とは反対面に向かうことにより、集魚照明装置のソーラーパネル２が昼間に太陽エネルギを電気エネルギに変換して蓄電池３に蓄積させるようにする。この集魚照明装置が夜間に使用される場合、蓄電池３は、蓄積した電気エネルギをランプ４に供給して、ランプ４に光を発させて、集魚水域を照らすようにする。よって、光を好む魚類が集魚水域に集合するようになる。
【００３３】
本開示の集魚照明装置の構成や使用過程から明らかなように、固定架台１および蓄電池３は前記少なくとも１つのフロート５に取り付けられ、ソーラーパネル２およびランプ４は固定架台１に取り付けられるので、固定架台１および蓄電池３は、前記少なくとも１つのフロート５によって直接的に支持されるとともに、ソーラーパネル２およびランプ４は固定架台１によって間接的に支持されるようになる。固定架台１、蓄電池３、ソーラーパネル２およびランプ４は、前記少なくとも１つのフロート５によって支持されると同時に、前記少なくとも１つのフロート５に一定の圧力を与えるので、前記少なくとも１つのフロート５は、倒れることや風に吹き飛ばされることがなく、安定に水面に浮くことが確保できるようになる。また、ソーラーパネル２、ランプ４及び蓄電池３は、前記少なくとも１つのフロート５に取り付けられるので、前記少なくとも１つのフロート５が所在の集魚水域の変化によって変化する時、蓄電池３は地理的な位置に制限されることなくランプ４に電気エネルギを提供することができ、集魚照明装置の使用可能範囲はより広くなる。そのため、当該集魚照明装置において、ソーラーパネル２と蓄電池３との組み合わせによってランプ４に給電し、給電が便利、場所が移転しやすく、保守が簡単、使用コストが低いなどの効果を奏する。更に、ソーラーパネル２は、昼間に太陽エネルギを電気エネルギに変換して蓄電池３に蓄積し、ランプ４が夜間に蓄電池３に蓄積された電気を利用して集魚に必要な照明を提供できるようになるので、かかる集魚照明装置の照明用電は、再生不能エネルギを消耗することがないほか、水源に何らかの汚染をもたらすこともないなどの利点を有する。
【００３４】
また、当該集魚照明装置では、ソーラーパネル２は、昼間に太陽エネルギを電気エネルギに変換して蓄電池３に蓄積するので、蓄電池３から出力される電池電圧が発電機または都市配電網から提供される照明用電の電圧よりも低い。このような構成によると、蓄電池３とランプ４との間のケーブルに漏電事故が発生しても、および/または、蓄電池３とソーラーパネル２との間のケーブルに漏電事故が発生しても、作業者に被害を与えることがない。
【００３５】
幾つかの実施例において、固定架台１は、ソーラーパネル２に対する支持を強化するため、アルミニウム合金で作製される。勿論、固定架台１は、他の高強度の金属または合金で作製されてもよい。
【００３６】
幾つかの実施例において、図１から図４に示すように、集魚照明装置は、少なくとも１つの蓋板５０をさらに備える。前記少なくとも１つの蓋板５０は、前記少なくとも１つのフロート５を覆うように前記少なくとも１つのフロート５の取り付け面５００に１対１対応で設けられることにより、蓋板５０をもってフロート５を保護し、よってフロート５の使用寿命を向上すると共に、少なくとも１つのフロート５の各々のフロート５により良い水面浮遊安定性を持たせる。蓋板５０は、例えば、ＰＣ板またはフォーム板など種々の材料によって提供される。
【００３７】
幾つかの実施例において、固定架台１および蓄電池３は、前記少なくとも１つの蓋板５０を介して前記少なくとも１つのフロート５に取り付けられる。このような構成によると、固定架台１および蓄電池３は、蓋板５０を前記少なくとも１つのフロート５の表面に押し付けることができ、少なくとも１つの蓋板５０が前記少なくとも１つのフロート５に１対１対応で強固に取り付けられることが確保される。
【００３８】
幾つかの実施例において、集魚照明装置に含まれるフロート５の数は、実際の状況に応じて設定される。幾つかの実施例において、前記少なくとも１つのフロート５は、１つのフロート５であり、この１つのフロートには、貫通する窓１００が設けられている。他の幾つかの実施例において、前記少なくとも１つのフロート５は、少なくとも２つのフロート５であり、前記少なくとも２つのフロート５は、貫通する窓１００として用いられる空間を画成形成し、固定架台１は、該少なくとも２つのフロート５に取り付けられる。幾つかの実施例において、図１および図５に示すように、前記少なくとも１つのフロート５は、２つのフロート５であり、これら２つのフロート５はそれぞれ第１のフロート５１と第２のフロート５２であり、第１のフロート５１と第２のフロート５２との間には、貫通する窓１００としての空間がある。固定架台１は、第１のフロート５１および第２のフロート５２に取り付けられるとともに、第１のフロート５１と第２のフロート５２とを１つのフロート結合体に組み合わせることにより、カタマラン型フロートを形成する。
【００３９】
幾つかの実施例において、前記少なくとも１つのフロート５が少なくとも２つのフロート５である場合、蓄電池３は、前記少なくとも２つのフロート５の内の１つのフロート５の表面に配置され、該１つのフロート５は、前記少なくとも２つのフロート５の他の少なくとも１つのフロート５の各々より体積が大きい。この構成によると、集魚照明装置の使用時に、該１つのフロート５と残りの他の少なくとも１つのフロート５との喫水深さを一致することができ、フロート５は固定架台１、蓄電池３、ソーラーパネル２およびランプ４を安定的に支持するようになる。集魚照明装置の夜間使用時に、貫通する窓１００の水中における位置は、光を好む魚類のよく出没する水中位置と解されるべきである。
【００４０】
幾つかの実施例において、ランプ４は、窓１００の上方に位置付けられる。この構成によると、集魚照明装置の夜間使用時に、ランプ４は水面上方に位置付けられ、かつ、ランプ４の発する光線は窓１００を通して水面に照射し、光を好む魚類を集合させることができ、作業者による養殖または捕獲などの作業に便利を提供する。他の幾つかの実施例において、ランプ４は、窓１００の下方に位置付けられ、かつ、使用時に水中に沈むように配置される。この構成によると、集魚照明装置の夜間使用時に、ランプ４の発する光が水域を明るく照らし、光を好む魚類をよりよく集合させて、作業者による養殖または捕獲などの作業に便利を提供する。
【００４１】
幾つかの実施例において、前記少なくとも１つのフロート５の各々は、フォーム、ＰＣ筒またはフロート筒であり、フロート５に良い浮力を持たせると共に、所要材料が容易に入手できる。幾つかの実施例において、フォームは、例えば、硬質防水フォームまたはコンパクト防水フォームなどの防水フォームによって提供される。
【００４２】
幾つかの実施例において、図１から図５に示すように、固定架台１は、複数の底枠１１、複数の横梁１２及び複数の縦棒１３を有する。前記複数の縦棒１３は、軸方向が前記少なくとも１つのフロート５の取り付け面５００に直交する。前記少なくとも１つのフロート５の取り付け面５００は、第１の方向に延びる複数の第１のエッジＬ１、及び第１の方向とは異なる第２の方向に延びる複数の第２のエッジＬ２を含む。
【００４３】
前記複数の底枠１１の各々は、前記複数の第１のエッジＬ１の内の相応する第１のエッジＬ１を１対１対応で包囲する。前記複数の横梁１２は、延びる方向が第２の方向と同じであり、前記複数の横梁１２の内の１つの横梁が、前記複数の底枠１１に固定される。前記複数の縦棒１３の各々は、底端が前記複数の底枠１１の内の相応する底枠に１対１対応で固定される。ソーラーパネル２は、前記複数の縦棒１３の先端に取り付けられるので、底枠１１は、前記複数の縦棒１３のベースとしてソーラーパネル２を支持する機能を発揮するようになる。
【００４４】
幾つかの実施例において、図１に示すように、集魚照明装置は、位置決め部材６をさらに備える。この位置決め部材６は、固定架台１に接続され、かつ、使用時に固定架台１を水面の上に固定するように配置される。この構成によると、当該位置決め部材は、アンカーに類する機能を発揮し、フロート５が風に吹き飛ばされることを回避できる。
【００４５】
幾つかの実施例において、図１に示すように、位置決め部材６は、少なくとも１本のロープ６１、および該少なくとも１本のロープ６１の一端に１対１対応で連結される少なくとも１つの引き綱６２を有し、該少なくとも１本のロープの他端は、前記複数の底枠１１の対応する底枠に１対１対応で接続される。引き綱６２は、重量物６２１を受容する綱袋６２０を含み、重量物６２１は、例えば、石塊、金属塊（例えば鉛塊、鉄塊）などである。集魚照明装置の使用時に、引き綱は、水に沈み、ロープを介して底枠１１に連結されることにより、底枠１１を水面の上に固定できる。底枠１１、縦棒１３、横梁１２が相互に連結して固定架台１を構成し、固定架台１がフロート５に取り付けられるので、集魚照明装置の使用時に、位置決め部材６は、間接的に前記少なくとも１つのフロート５を水面に安定的に固定して、前記少なくとも１つのフロート５の水面での漂流を防ぐ。
【００４６】
幾つかの実施例において、上述の複数の縦棒１３の各々は、第１の固定面Ｍ１および第２の固定面Ｍ２を有し、第１の固定面Ｍ１が第２の方向に直交し、第２の固定面Ｍ２が第１の方向に直交する。該固定架台１は、前記第１の固定面Ｍ１に設けられる横筋交い１４をさらに有する。横筋交い１４は、上端が第１の固定面Ｍ１に連結され、下端が複数の底枠１１の内の１つの底枠に連結される。フロート５の取り付け面５００と、横筋交い１４と、複数の縦棒１３の内の相応する１つの縦棒とは、横方向三角支持構造を構成する。固定架台１は、第２の固定面Ｍ２に設けられる縦筋交い１５をさらに有し、縦筋交い１５は、上端が第２の固定面Ｍ２に連結され、下端が複数の底枠１１の内の１つの底枠１１に連結され、該１つの底枠１１と、縦筋交い１５と、縦棒１３とは、縦方向三角支持構造を構成する。この構成によると、横方向三角支持構造および縦方向三角支持構造を介して縦棒１３および底枠１１を支持することができ、縦棒１３および底枠１１が所在する固定架台１に良好な構造強度および安定性を持たせ、固定架台１のソーラーパネル２に対する支持が強化されるので、大きい風に遭っても簡単に倒れることがない。
【００４７】
幾つかの実施例において、上述の横筋交い１４は、さらに、下端が横梁１２に接触することにより、横梁１２が横筋交い１４に対して一定の側方支持力を与えるので、横筋交い１４が傾斜し横筋交い１４の縦棒１３および底枠１１に対する支持が影響されるは避けられる。
【００４８】
幾つかの実施例において、前記固定架台１は、複数の縦棒１３の内の隣接する２つの縦棒１３を連結するための横棒１８をさらに有する。この構成によると、前記複数の縦棒１３に良好な安定性を持たせ、複数の縦棒１３の所在する固定架台１の構造強度および安定性をさらに向上することができる。
【００４９】
幾つかの実施例において、前記複数の縦棒１３の内の１つの縦棒１３は、前記複数の横梁１２の内の１つの横梁１２に接触する。この構成によると、該１つの横梁１２が該１つの縦棒１３に対して一定の側方支持力を与え、縦棒１３の傾斜を回避し、ひいては縦棒１３のソーラーパネル２に対する支持の安定性を確保できる。
【００５０】
幾つかの実施例において、蓄電池３は、電池ホルダを介して前記少なくとも１つのフロート５の１つのフロートに取り付けられ、電池ホルダは、前記少なくとも１つのフロート５の内の１つのフロート５の第１のエッジＬ１を包囲する底枠１１に固定される。この構成によると、電池ホルダは、蓄電池３を取り付けるための取り付け部材のみとして該底枠１１に設けられるだけでなく、固定架台１の固定部材として底枠１１に設けられる。
【００５１】
幾つかの実施例において、ソーラーパネル２は、水平または傾斜に前記複数の縦棒１３の先端に取り付けられる。言い換えれば、幾つかの実施例において、ソーラーパネル２のパネル面は、前記少なくとも１つのフロート５の各々の取り付け面５００に平行する。他の幾つかの実施例において、ソーラーパネル２のパネル面は、前記少なくとも１つのフロート５の各々の取り付け面５００となす夾角は、０°超過、且つ９０°未満である。
【００５２】
幾つかの実施例において、図１から図４に示すように、固定架台１は、ランプホルダ１６、及び前記複数の縦棒１３に設けられる上枠１７をさらに有する。上枠１７は、ソーラーパネル２の背光面２０に近接し、かつ、前記複数の底枠１１から離れる。ランプホルダ１６は、上枠１７の中に設けられ、ランプ４がランプホルダ１６に固定されるので、ランプ４はソーラーパネル２の背光面２０の下方に吊り下げられるようになる。ランプ４がソーラーパネル２の背光面２０の下方に吊り下げられるので、ソーラーパネル２がランプ４の保護カバーとなり、ランプ４は長時間に太陽や雨に晒されることがなく、使用寿命が延長される効果を奏する。上枠１７は、実際の状況によって取り付け箇所が適宜決定可能である。例えば、上枠１７は、ソーラーパネル２の背光面２０に近接し、フロート５の取り付け面５００から離れるように取り付けられることも考えられる。
【００５３】
幾つかの実施例において、図１から図５に示すように、集魚照明装置は、２つのフロート５、固定架台１、蓄電池３、ソーラーパネル２およびランプ４を備える。２つのフロート５は、第１のフロート５１と第２のフロート５２である。第１のフロート５１および第２のフロート５２は、いずれも直方体構造となり、かつ、第１のフロート５１と第２のフロート５２との間には、貫通する窓１００としての空間がある。第１のフロート５１および第２のフロート５２は、いずれも、２つの第１のエッジＬ１および２つの第２のエッジＬ２を有し、２つの第１のエッジＬ１は直方体の長さ方向に延び、２つの第２のエッジＬ２は直方体の幅方向に延びる。第１のフロート５１の取り付け面５００には第１のフロート５１を覆う第１の蓋板５１０が設けられ、第２のフロート５２の取り付け面５００には第２のフロート５２を覆う第２の蓋板５２０が設けられる。
【００５４】
幾つかの実施例において、固定架台１は、４つの底枠１１、２つの横梁１２、４つの縦棒１３、４つの横筋交い１４、４つの縦筋交い１５、１つの上枠１７、４つの横棒１８、１つのランプホルダ１６、及び１つの電池ホルダ１０を有する。４つの底枠１１は、第１の底枠１１１、第２の底枠１１２、第３の底枠１１３と第４の底枠１１４である。第１の底枠１１１および第２の底枠１１２は、第１のフロート５１の２つの第１のエッジＬ１を１対１対応で包囲し、第３の底枠１１３および第４の底枠１１４は、第２のフロート５２の２つの第１のエッジＬ１を１対１対応で包囲する。電池ホルダ１０は、第１の底枠１１１および第２の底枠１１２に設けられるとともに、第１の底枠１１１と第２の底枠１１２とを連結する。電池ホルダ１０には、ソーラーパネル２およびランプ４に接続される蓄電池３が取り付けられている。
【００５５】
幾つかの実施例において、２つの横梁１２は、第１の横梁１２１と第２の横梁１２２であり、第１の横梁１２１は、第１のフロート５１の２つの第２のエッジＬ２の一方と第２のフロート５２の２つの第２のエッジＬ２の一方とを連結し、該第１のフロート５１の２つの第２のエッジＬ２の一方と該第２のフロート５２の２つの第２のエッジＬ２の一方は同一の方向に延びる。第２の横梁１２２は、第１のフロート５１の２つの第２のエッジＬ２の他方と第２のフロート５２の２つの第２のエッジＬ２の他方とを連結し、該第１のフロート５１の２つの第２のエッジＬ２の他方と該第２のフロート５２の２つの第２のエッジＬ２の他方は同一の方向に延びる。
【００５６】
幾つかの実施例において、４つの縦棒１３の各々は、第１の固定面Ｍ１、および第２の固定面Ｍ２を有する。第１の固定面Ｍ１は直方体の幅方向に直交し、第２の固定面Ｍ２は直方体の長さ方向に直交する。４つの縦棒１３は、第１の縦棒１３１、第２の縦棒１３２、第３の縦棒１３３および第４の縦棒１３４である。
【００５７】
幾つかの実施例において、第１の底枠１１１は、２つのフロートの間にある空間に近接し、これに対して、第２の底枠１１２は、２つのフロートの間にある空間から離れる。第１の縦棒１３１の底端および第２の縦棒１３２の底端は第１の底枠１１１に固定され、かつ、第１の縦棒１３１の底端は第１の横梁１２１に接触し、第２の縦棒１３２の底端は第２の横梁１２２に接触する。第３の底枠１１３は、２つのフロートの間にある空間に近接し、これに対して、第４の底枠１１４は、２つのフロートの間にある空間から離れる。第３の縦棒１３３の底端および第４の縦棒１３４の底端は第３の底枠１１３に固定され、かつ、第３の縦棒１３３の底端は第１の横梁１２１と接触し、第４の縦棒１３４の底端は第２の横梁１２２と接触する。ソーラーパネル２は、第１の縦棒１３１の先端、第２の縦棒１３２の先端、第３の縦棒１３３の先端および第４の縦棒１３４の先端に設けられる。第１の縦棒１３１、第２の縦棒１３２、第３の縦棒１３３および第４の縦棒１３４は、上枠１７を介して一体に連結され、ランプホルダ１６は上枠１７の中に取り付けられ、ランプ４はランプホルダ１６に固定される。
【００５８】
幾つかの実施例において、４つの横筋交い１４は、第１の横筋交い１４１、第２の横筋交い１４２、第３の横筋交い１４３および第４の横筋交い１４４である。４つの縦筋交い１５は、第１の縦筋交い１５１、第２の縦筋交い１５２、第３の縦筋交い１５３および第４の縦筋交い１５４である。４つの横棒１８は、第１の横棒１８１、第２の横棒１８２、第３の横棒１８３と第４の横棒１８４である。
【００５９】
幾つかの実施例において、第１の縦棒１３１の第１の固定面Ｍ１には、第１の横筋交い１４１の上端が連結される。第１の横筋交い１４１の下端は第２の底枠１１２に連結され、かつ、第１の横筋交い１４１の下端はさらに第１の横梁１２１と接触する。第１のフロート５１の取り付け面５００と、第１の横筋交い１４１と、第１の縦棒１３１とは、第１の横方向三角支持構造を構成する。第１の縦棒１３１の第２の固定面Ｍ２には、第１の縦筋交い１５１の上端が連結され、第１の縦筋交い１５１の下端は第１の底枠１１１に連結される。第１の縦棒１３１と、第１の縦筋交い１５１と、第１の底枠１１１とは、第１の縦方向三角支持構造を構成する。第２の縦棒１３２の第１の固定面Ｍ１には、第２の横筋交い１４２の上端が連結し、第２の横筋交い１４２の下端は第２の底枠１１２に連結され、かつ、第２の横筋交い１４２の下端はさらに第２の横梁１２２と接触する。第１のフロート５１の取り付け面５００と、第２の横筋交い１４２と、第２の縦棒１３２とは、第2の横方向三角支持構造を構成する。第２の縦棒１３２の第２の固定面Ｍ２には、第２の縦筋交い１５２の上端が連結され、第２の縦筋交い１５２の下端は第１の底枠１１１に連結され、第２の縦棒１３２と、第２の縦筋交い１５２と、第１の底枠１１１とは、第２の縦方向三角支持構造を構成する。第３の縦棒１３３の第１の固定面Ｍ１には、第３の横筋交い１４３の上端が連結される。第３の横筋交い１４３の下端は第４の底枠１１４に連結され、かつ、第３の横筋交い１４３の下端はさらに第１の横梁１２１と接触する。第２のフロート５２の取り付け面５００と、第３の横筋交い１４３と、第３の縦棒１３３とは、第３の横方向三角支持構造を構成する。第３の縦棒１３３の第２の固定面Ｍ２には、第３の縦筋交い１５３の上端が連結され、第３の縦筋交い１５３の下端は第３の底枠１１３に連結され、第３の縦棒１３３と、第３の縦筋交い１５３と、第３の底枠１１３とは、第３の縦方向三角支持構造を構成する。第４の縦棒１３４の第１の固定面Ｍ１には、第４の横筋交い１４４の上端が連結される。第４の横筋交い１４４の下端は第４の底枠１１４に連結され、かつ、第４の横筋交い１４４の下端はさらに第２の横梁１２２と接触し、第２のフロート５２の取り付け面５００と、第４の横筋交い１４４と、第４の縦棒１３４とは、第４の横方向三角支持構造を構成する。第４の縦棒１３４の第２の固定面Ｍ２には、第４の縦筋交い１５４の上端が連結される。第４の縦筋交い１５４の下端は第３の底枠１１３に連結され、第４の縦棒１３４と、第４の縦筋交い１５４と、第３の底枠１１３とは、第４の縦方向三角支持構造を構成する。
【００６０】
幾つかの実施例において、第１の縦棒１３１と第３の縦棒１３３とは、第１の横棒１８１を介して連結され、第２の縦棒１３２と第４の縦棒１３４とは、第２の横棒１８２を介して連結され、第１の縦棒１３１の先端と第２の縦棒１３２の先端とは、第３の横棒１８３を介して連結され、第３の縦棒１３３の先端と第４の縦棒１３４の先端とは、第４の横棒１８４を介して連結される。
【００６１】
幾つかの実施例において、上述のランプ４はＤＣランプであり、蓄電池３はリチウム電池である。例えば、蓄電池３は、出力電圧が１２Ｖの直流電圧であり、ランプ４は、定格電圧が１２Ｖ、電力が５０Ｗ、光束が１１０-１２０ルーメンのＬＥＤランプである。この構成によると、インバータがなくても、ランプ４へ電力を直接提供できるので、集魚のコストを低減させる。なお、ランプ４に用いられる光ケーブルは、漏電が発生しても、１２Ｖの電圧であるから感電のリスクがない。
【００６２】
幾つかの実施例において、蓄電池３は、充電電池３１と充電電池３１を制御するためのコントローラ３０とを含む。充電電池３１は、入力端がソーラーパネル２に接続され、出力端がランプ４に接続される。コントローラ３０は、光線強度が光線強度閾値より小さい又はそれに等しいと、前記ランプ４へ充電するように充電電池３１を制御する一方、光線強度が光線強度の閾値より大きいと、ランプ４への充電を停止するように充電電池３１を制御する。
【００６３】
幾つかの実施例において、コントローラ３０は、さらに、給電時間長および/または給電電力を含む、充電電池３１によるランプ４への給電対策を設定できるように配置され、集魚時の光を最適状態となるように制御することができる。
【００６４】
光線強度による誤差を避けるため、幾つかの実施例において、コントローラ３０は、光線強度が前記光線強度閾値より小さい又はそれに等しいと、ｔ１時間（例えば１０s）遅延して前記ランプへ充電するように充電電池３１を制御する一方、光線強度が前記光線強度の閾値より大きいと、ｔ２時間（例えば３min）遅延して前記ランプへ充電するように充電電池３１を制御する、ように配置される。
【００６５】
幾つかの実施例において、蓄電池３は、コントローラ３０に接続される表示器３００をさらに含む。コントローラ３０は、充電電池３１の電池電圧および/またはソーラーパネル２の光起電力電圧を検出できるように配置され、表示器３００は、充電電池３１の電池電圧および/またはソーラーパネル２の光起電力電圧が検出されると、充電電池３１の電池電圧および/またはソーラーパネル２の光起電力電圧を表示する、ように配置される。
【００６６】
幾つかの実施例において、コントローラ３０は、マニュアルコントローラであり、該マニュアルコントローラには、給電対策を設定するためのボタンが設けられている。作業者は、ボタンによって給電対策をマニュアルコントローラに入力して、マニュアルコントローラに給電対策に基づいてランプへ給電させる。
【００６７】
幾つかの実施例において、集魚照明装置は、コントローラ３０に無線接続されてコントローラ３０を無線制御するリモコン端末３２をさらに有し、無人化・知能化集魚作業を実現する。幾つかの実施例において、当該リモコン端末３２は、リモコン、携帯電話、タブレットＰＣなどのモバイル端末である。幾つかの実施例において、当該リモコン端末３２は、デスクトップコンピュータなどの据置型端末である。遠隔制御時に、リモコン端末３２を介して給電対策を設定し、該給電対策をコントローラ３０に無線伝送して、コントローラ３０の給電対策による制御を実現させる。リモコン端末３２には表示画面がある場合、リモコン端末３２によって設定された給電対策は、表示画面に表示させても良い。幾つかの実施例において、リモコン端末３２は、パラメータ設定を可能にするため、少なくとも１つのコントローラ３０を制御する。
【００６８】
幾つかの実施例において、コントローラ３０およびリモコン端末３２は、いずれも、本開示に記載の一つまたは複数の操作および/または機能を実行するようにプログラミングされたマイクロプロセッサによって実行される。幾つかの実施例において、コントローラ３０は、専門的に配置されたハードウエアによって全体または部分的実行される（例えば、一つまたは複数の専用集積回路やASIC（s）によって実行される）。
【００６９】
本開示の各実施例は、いずれも漸進的に記述されており、実施例同士の同一又は類似の部分がお互いに参照してもよく、各実施例は、主として他の実施例との異なる部分を重点的に説明する。特に、装置の実施例に関しては、基本的に方法の実施例に似ているものであるため、比較的に簡単に記述され、関連するものについては、方法の実施例の対応説明を参照すれば明確となる。
【００７０】
当業者が理解できるように、上述の実施例方法における全部又は一部のフローチャートは、コンピュータプログラムによる関連するハードウエアへの指示で実現されることができ、前記プログラムはコンピュータ読み取り可能な記憶媒体に記憶可能であり、該プログラムは、実行時に、上述の各方法の実施例のフローチャートを含むものとする。前記記憶媒体は、磁気ディスク、光ディスク、読み出し専用のメモリ（Ｒｅａｄ−Ｏｎｌｙ  Ｍｅｍｏｒｙ，ＲＯＭ）、又は、ランダムアクセスメモリ（Ｒａｎｄｏｍ  Ａｃｃｅｓｓ  Ｍｅｍｏｒｙ，ＲＡＭ）などであってよい。
【００７１】
以上に説明したのは、本開示の幾つかの実施形態のみであり、本開示の保護範囲は、これらに限定されない。本分野に熟知している技術者が本開示に開示される技術的範囲内に容易に想到できる変更や置換は、いずれも本開示の保護範囲内に含まれるものとする。従って、本開示の保護範囲は、特許請求の範囲に記載された権利範囲に準拠する。
【手続補正２】
【補正対象書類名】特許請求の範囲
【補正対象項目名】全文
【補正方法】変更
【補正の内容】
【特許請求の範囲】
【請求項１】
固定架台、ソーラーパネル、蓄電池、ランプ、使用時に水に浮くように配置される少なくとも１つのフロートを備え、
前記固定架台および前記蓄電池は、前記少なくとも１つのフロートに取り付けられ、
前記ソーラーパネルおよび前記ランプは、前記固定架台に取り付けられ、
前記蓄電池は、それぞれ前記ランプと前記ソーラーパネルに接続され、
前記ランプは、前記ソーラーパネルの背光面に位置付けられ、
前記背光面は、使用時に水面に向かうように配置される、
集魚照明装置。
【請求項２】
前記少なくとも１つのフロートを覆うように、前記少なくとも１つのフロートの取り付け面に１対１対応で設けられる少なくとも１つの蓋板を、さらに備える請求項１に記載の集魚照明装置。
【請求項３】
前記固定架台と前記蓄電池は、前記少なくとも１つの蓋板を介して、前記少なくとも１つのフロートに１対１対応で取り付けられる、請求項２に記載の集魚照明装置。
【請求項４】
前記少なくとも１つのフロートは、１つのフロートであり、前記１つのフロートには、貫通する窓が設けられており、
前記ランプは、前記窓の上方に位置付けられ、または、
前記ランプは、前記窓の下方に位置付けられ、かつ、使用時に水中に沈むように配置され、
前記少なくとも１つのフロートは、少なくとも２つのフロートであり、前記少なくとも２つのフロートは、貫通する窓として用いられる空間を画定形成し、前記固定架台は、前記少なくとも２つのフロートに取り付けられており、
前記ランプは、前記窓の上方に位置付けられ、または、
前記ランプは、前記窓の下方に位置付けられ、かつ、使用時に水中に沈むように配置される
請求項１〜３のいずれか一つに記載の集魚照明装置。
【請求項５】
前記少なくとも１つのフロートは、少なくとも２つのフロートであり、
前記蓄電池は、前記少なくとも２つのフロートの内の１つのフロートの表面に設けられ、
前記１つのフロートは、前記少なくとも２つのフロートの内の残りの少なくとも１つのフロートの各々より体積が大きい
請求項１〜４のいずれか一つに記載の集魚照明装置。
【請求項６】
前記固定架台に連結され、かつ、使用時に前記固定架台を水面の上に固定するように配置される位置決め部材を、さらに備える請求項１〜５のいずれか一つに記載の集魚照明装置。
【請求項７】
前記固定架台は、複数の底枠、複数の横梁及び複数の縦棒を有し、前記複数の縦棒は、軸方向が前記少なくとも１つのフロートの取り付け面に直交し、前記少なくとも１つのフロートの取り付け面は、第１の方向に延びる複数の第１のエッジ及び第１の方向と異なる第２の方向に延びる複数の第２のエッジを含み、
前記複数の底枠の各々は、前記複数の第１のエッジの内の相応する第１のエッジを１対１対応で包囲し、前記複数の横梁は、延びる方向が前記第２の方向と同じであり、前記複数の横梁の各々は、前記複数の底枠に固定され、そして前記複数の縦棒の各々は、底端が前記複数の底枠の内の相応する底枠に１対１対応で固定され、前記ソーラーパネルは、前記複数の縦棒の先端に取り付けられ、
前記位置決め部材は、少なくとも１本のロープ、及び前記少なくとも１本のロープの一端に１対１対応で連結される少なくとも１つの引き綱を含み、前記少なくとも１本のロープの他端は、前記複数の底枠の内の対応する底枠に１対１対応で接続される、
請求項６に記載の集魚照明装置。
【請求項８】
前記固定架台は、ランプホルダ、及び前記複数の縦棒に設けられる上枠をさらに有し、前記ランプホルダは、前記上枠の中に設けられ、前記ランプは前記ランプホルダに固定される請求項７に記載の集魚照明装置。
【請求項９】
前記複数の縦棒の各々は、第１の固定面及び第２の固定面を有し、前記第１の固定面が、前記第２の方向に直交し、前記第２の固定面が、前記第１の方向に直交し、
前記固定架台は、前記第１の固定面に設けられる横筋交いをさらに有し、前記横筋交いは、上端が前記第１の固定面に連結され、下端が前記複数の底枠の内の１つの底枠に連結され、
前記フロートの取り付け面と、前記横筋交いと、前記複数の縦棒の内の相応する１つの縦棒とは、横方向三角支持構造を構成し、
前記固定架台は、前記第２の固定面に設けられる縦筋交いをさらに有し、前記縦筋交いは、上端が前記第２の固定面に連結され、下端が前記複数の底枠の内の１つの底枠に連結され、前記１つの底枠と、前記縦筋交いと、前記複数の縦棒の内の相応する１つの縦棒とは、縦方向三角支持構造を構成する、
請求項７に記載の集魚照明装置。
【請求項１０】
前記蓄電池は、電池ホルダを介して前記少なくとも１つのフロートの内の１つのフロートに取り付けられ、
前記電池ホルダは、前記少なくとも１つのフロートの内の１つのフロートの第１のエッジを包囲する底枠に固定される
請求項６〜９のいずれか一つに記載の集魚照明装置。
【請求項１１】
前記蓄電池は、充電電池及び前記充電電池を制御するコントローラとを含み、前記充電電池は、入力端が前記ソーラーパネルに接続され、出力端が前記ランプに接続され、
前記コントローラは、光線強度が光線強度の閾値より小さい又はそれに等しいと、前記ランプへ充電するように前記充電電池を制御する一方、光線強度が前記光線強度の閾値より大きいと、前記ランプへの充電を停止するように前記充電電池を制御する請求項１〜１０のいずれか一つに記載の集魚照明装置。
【請求項１２】
前記コントローラは、さらに、給電時間長および/または給電電力を含む、前記充電電池による前記ランプへの給電に関する給電対策を設定するように配置される、請求項１１に記載の集魚照明装置。
【請求項１３】
前記コントローラは、光線強度が光線強度の閾値より小さい又はそれに等しいと、ｔ１時間遅延して前記ランプへ充電するように前記充電電池を制御する一方、光線強度が前記光線強度の閾値より大きいと、ｔ２時間遅延して前記ランプへの充電を停止するように前記充電電池を制御する、請求項１１または１２に記載の集魚照明装置。
【手続補正３】
【補正対象書類名】図面
【補正対象項目名】全図
【補正方法】変更
【補正の内容】
【図１】
2019523962.tif 000009
【図２】
2019523962.tif 000010
【図３】
2019523962.tif 000011
【図４】
2019523962.tif 000012
【図５】
2019523962.tif 000013
【図６】
2019523962.tif 000014
【国際調査報告】
2019523962.tif 000015
2019523962.tif 000016
2019523962.tif 000017
2019523962.tif 000018
2019523962.tif 000019
2019523962.tif 000020